(57)【要約】【課題】  使用者が浴槽内で無理な力を入れて踏ん張ったりすることなく全身の力を抜いてリラックスすることができる入浴イスのコンパクト化と軽量化などを達成する。【解決手段】  座板１と、座板１の位置を固定するための定置機構２と、定置機構２を座板１に連結する連結機構５とを備える。連結機構５が関節部６を備えて座板１の傾斜角度が可変となっている。定置機構２は、円板形のゴム板でなる吸盤２１と、筐体２２と、連結杆２３と、操作ハンドル２５と、カム７とを有していて、操作ハンドル２５の起倒動作を通じて吸盤２１を浴槽１００の底面に吸着させたりその吸着を解除したりすることができるようになっている。【選択図】        図１
0003125384.tif 000002
【実用新案登録請求の範囲】
【請求項１】
人体の一部を凭せ掛ける座板と、浴槽の底面に吸着離脱可能な吸盤を備えてその吸盤を浴槽の底面に吸着させることにより上記座板の位置を固定することのできる定置機構と、この定置機構を上記座板に連結する連結機構と、を備えていることを特徴とする入浴イス。
【請求項２】
上記連結機構が、上記定置機構に対する上記座板の傾斜角度を可変とする関節部を備える請求項１に記載した入浴イス。
【請求項３】
上記関節部が、上記定置機構に連結された第１部材及び上記座板に連結された第２部材の２つの部材を相対回動可能に連結している軸体と、２つの上記部材によって形成される角度を固定するためのロック手段とを備える請求項２に記載した入浴イス。
【請求項４】
上記定置機構は、円板形のゴム板でなる上記吸盤と、この吸盤の外周部に相対摺動自在に載架される環状の座面を有してその吸盤の膨らみ変形を許容する空間を備えた筐体と、上記吸盤の中央部に連結されて上記筐体に具備された孔部を通してその外側へ延び出た連結杆と、上記孔部から突き出た上記連結杆に起倒可能に連結された操作ハンドルと、この操作ハンドルの起倒動作に上記連結杆の昇降動作を連動させることによって、上記吸盤の中央部を初期位置から引き上げてその吸盤を膨らみ変形させる吸盤引上げ作用と膨らみ変形した吸盤を初期形状に復帰変位させる吸盤復帰作用とを行わせるカムと、を備える請求項１ないし請求項３のいずれか１項に記載した入浴イス。
【考案の詳細な説明】
【技術分野】
【０００１】
本考案は入浴イス、特に、入浴中の使用者が力を入れて踏ん張ったりすることなく無理なくその着座姿勢を保つことのできる入浴イスに関する。
【背景技術】
【０００２】
従来、この種の入浴イスには、入浴中の人の臀部付近を支える座板とその人の正面に位置している浴槽の内側面との間に筒状の脚部を介在させておき、入浴中の人がその臀部付近を座板に凭せ掛けると、上記脚部が浴槽の内側面に突張ってその人の着座姿勢が保たれるというものがあった（たとえば、特許文献１参照）。この特許文献１によって提案されている入浴イスによると、入洛中の人の体重が座板によって支えられるために、使用者は背中を浴槽の内側面の他の箇所に凭せ掛けておくだけで、無理な力をいれて踏ん張ったりすることなく、全身の力を抜いてリラックスすることができるという利点があるとされている。したがって、このような入浴イスは、健常者が長時間の入浴を楽しみたいというときだけに限らず、身障者が入浴するときの介護用としても有用であると云える。
【０００３】
【特許文献１】特許第３７９３９２５号公報
【考案の開示】
【考案が解決しようとする課題】
【０００４】
しかしながら、特許文献１によって提案されている入浴イスは、使用者の臀部付近が凭せ掛けられる座板と浴槽の内側面との間に長い筒状の脚部が介在されるので、その全体形状がどうしても大形になりやすくて浴槽に設置するときや持ち運びの際の取扱い性が低下するという不都合や、浴槽の中で脚部が入浴中の使用者の邪魔になるといった不都合があった。
【０００５】
本考案は以上の状況の下でなされたものであり、使用者が浴槽内で無理な力をいれて踏ん張ったりすることなく全身の力を抜いてリラックスすることができるものでありながら、特許文献１に示されている筒状の脚部を省略する代わりに浴槽内での当該入浴イスの固定手段として吸盤を用いるということを基本として、その全体形状のコンパクト化を図り、軽量で取扱い性に優れる入浴イスを提供することを目的とする。
【０００６】
また、本考案は、使用者の姿勢や体型に応じた使用状態を適宜選択することのできる入浴イスを提供することを目的とする。
【０００７】
さらに、本考案は、浴槽内での設置箇所の変更などを手軽に行うことのできる入浴イスを提供することを目的とする。
【課題を解決するための手段】
【０００８】
本考案に係る入浴イスは、人体の一部を凭せ掛ける座板と、浴槽の底面に吸着離脱可能な吸盤を備えてその吸盤を浴槽の底面に吸着させることにより上記座板の位置を固定することのできる定置機構と、この定置機構を上記座板に連結する連結機構と、を備えている。
【０００９】
この考案によると、座板を浴槽の底面に定置する手段として、特許文献１によって示されている筒状の脚部に比べてコンパクトに構成することのできる吸盤を備えた定置機構が採用されているので、当該入浴イスの全体形状のコンパクト化を図りやすくなり、軽量化も図りやすくなる。その上、定置機構は、吸盤を浴槽の底面に吸着させることにより座板の位置を固定するというものであるので、使用者が１人で操作することのできる吸盤を着脱する操作を通じて座板の位置を変更することができる。そのため、使用者にとっての使い勝手がよいという利点を備えている。
【００１０】
本考案に係る入浴イスは、上記連結機構が、上記定置機構に対する上記座板の傾斜角度を可変とする関節部を備えていることが望ましい。これによれば、座板の傾斜角度を変えてその座板の向きを使用者の姿勢や体型に合わせることが可能になるので、長時間の入浴を楽しみたい人や身障者にとって特に有益である。
【００１１】
本考案では、上記関節部が、上記定置機構に連結された第１部材及び上記座板に連結された第２部材の２つの部材を相対回動可能に連結している軸体と、２つの上記部材によって形成される角度を固定するためのロック手段とを備える、という構成を採用することが可能であり、これによれば、関節部を小形化して当該入浴イスの全体形状をコンパクトに形成しやすい。
【００１２】
本考案において、上記定置機構は、円板形のゴム板でなる上記吸盤と、この吸盤の外周部に相対摺動自在に載架される環状の座面を有してその吸盤の膨らみ変形を許容する空間を備えた筐体と、上記吸盤の中央部に連結されて上記筐体に具備された孔部を通してその外側へ延び出た連結杆と、上記孔部から突き出た上記連結杆に起倒可能に連結された操作ハンドルと、この操作ハンドルの起倒動作に上記連結杆の昇降動作を連動させることによって、上記吸盤の中央部を初期位置から引き上げてその吸盤を膨らみ変形させる吸盤引上げ作用と膨らみ変形した吸盤を初期形状に復帰変位させる吸盤復帰作用とを行わせるカムと、を備えるものであってもよい。定置機構にこの構成を採用すると、操作ハンドルを起倒動作させることによって吸盤を浴槽の底面に吸着させたりその吸着状態を解除させたりする操作を使用者などが容易に行うことができる。
【考案の効果】
【００１３】
以上のように、本考案に係る入浴イスは、座板と定置機構とそれら両者を連結している連結機構とからなり、定置機構による座板の位置固定のために吸盤の吸着作用を利用しているので、冒頭に掲げた特許文献１によって提案されている入浴イスに見られる筒状の脚部を設ける必要がなくなって、それだけ当該入浴イスの全体形状がコンパクト化されてその軽量化が図られ、取扱い性も改善される。それにもかかわらず、使用者が無理な力を入れて踏ん張ったりすることなくリラックスした状態で長時間の入浴を楽しむことができるので、健常者にとっては勿論、身障者やその介護者にとっても使用感や使い勝手に優れた入浴イスを提供することが可能になる。
【００１４】
また、連結機構に関節部を具備させたり、ロック機構を具備させたりしたものでは、座板の傾斜角度を使用者の姿勢や体型に合わせて変化させることができるだけでなく、座板の傾斜角度の調整や浴槽内での座板の位置の変更を、使用者や介護者が手間取ることなく短時間で容易に行うことができるという利点もある。
【考案を実施するための最良の形態】
【００１５】
図１は本考案に係る入浴イスＡを一部省略して示した平面図、図２は定置機構２の動作状態を示した縦断面図、図３は定置機構２の他の動作状態を示した縦断面図、図４は座板１の傾斜角度可変作用を説明するための概略側面図、図５は使用状態説明図、図６は他の使用状態説明図である。
【００１６】
図１に示した実施形態に係る入浴イスＡは、座板１と、座板１を浴槽内の定位置に固定するために用いられる定置機構２と、座板１と定置機構２とを連結している連結機構３とを備えている。
【００１７】
定置機構２は吸盤２１を備えていて、この吸盤２１を浴槽の底面に吸着させることによって座板１を定位置に固定することができるようになっている。さらに詳細に説明すると、図１〜図３のように、定置機構２は、円板形の厚手のゴム板でなる上記吸盤２１の上に、平面視円形で偏平な中空の筐体２２を配備し、吸盤２１の中央部に連結した連結杆２３を上記筐体２２の中央部に具備させた孔部２４に挿通させてその上方へ突出させてある。この実施形態では、連結杆２３が挿通している孔部２４を、樹脂成形体でなる筐体２２の中央部に取り付けた金属製の口金２４ａに具備させておくことによって、その孔部２４の耐摩耗性や耐久性を高めてある。また、筐体２２の孔部２４を通してその外側へ延び出た上記連結杆２３の端部に操作ハンドル２５の基部を連結軸２７を介して連結してあり、その連結軸２７による連結杆２３と操作ハンドル２５との連結箇所を支点として、操作ハンドル２５を図１及び図２に示した筐体２２に重なり合う倒伏姿勢と図３に示した筐体２２に対して立ち上がった起立姿勢との間で起倒可能としてある。加えて、図２及び図３に示したように、筐体２２にはその外周部に短い筒状の胴部２８が備わっていて、その胴部２８によって当該筐体２２の内部に空間Ｓを確保させ、さらに、胴部２８の下端面を円環状の座面２９として形成して、その座面２９をゴム板でなる上記吸盤２１の外周部に相対摺動自在に載架してある。
【００１８】
この定置機構２には、さらに吸盤２１の中央部を引き上げてその吸盤２１を膨らみ変形させる吸盤引上げ作用とそのように膨らみ変形した吸盤を初期形状に復帰変位させる吸盤復帰作用とを行わせるカム７が備わっている。図２及び図３のように、図例のカム７は、上記口金２４ａの上面によって形成されている平坦な第１カム面７１と、上記操作ハンドル２５の基部に具備させた円弧状の第２カム面７２とでなり、第２カム面７２の円弧中心位置が上記した連結軸２７に対する偏心箇所に定められている。そして、操作ハンドル２５が図２に示した倒伏姿勢から図３に示した起立姿勢にまで矢印Ｘのように引き上げられると、その途中で第２カム面７２が連結軸２７の周りで回動して第１カム面７１に当接した後に第１カム面７１と押圧状態で摺動して連結杆２３を矢印Ｙのように引き上げるようになっている。したがって、その逆に、操作ハンドル２５が図３に示した起立姿勢から図２に示した倒伏姿勢にまで押し下げられると、その途中で第２カム面７２が連結軸２７の周りで回動して第１カム面７１と押圧状態で摺動した後、その第１カム面７１に対する押圧状態が解除される。
【００１９】
一方、上記したように、連結杆２３がゴム板でなる吸盤２１の中央部に連結されていて、筐体２２側の円環状の座面２９が吸盤２１の外周部に摺動自在に載架されているという構成を採用してあることにより、連結杆２３が図３の矢印Ｙのように引き上げられて上昇すると、それに伴って吸盤２１の外周部が上記座面２９と摺動してその中央部が引き上げられ、当該吸盤２１が図３のように膨らみ変形し（吸盤引上げ作用）てその膨らみ変形が筐体２２の内部の空間Ｓによって許容される。これに対し、吸盤２１が図３のように膨らみ変形している状態から図２に示したように連結杆２３が引き下げられて下降すると、それまで膨らみ変形していた吸盤２１の弾力性によって当該吸盤２１が平坦な初期形状に復帰変位する（吸盤復帰作用）。
【００２０】
図１に示されている座板１は表面が平坦な板、又は、使用者の臀部付近を無理なく重ね合わせることのできる表面形状を備えた板状体によって形成されていて、その裏面の横幅方向の中央部が、連結機構５を介して上記した定置機構２の筐体２２に連結されている。そして、図例では、連結機構５として、定置機構２に対する座板１の傾斜角度を可変とする関節部６（図４参照、以下同じ）を有する機構を採用してある。すなわち、連結機構５は、定置機構２の筐体２２の上面にボルト５２によって結合された第１部材５１と、座板１の裏面に固着されたアーム状の第２部材５３とを備えていて、それらの第１部材５１と第２部材５３とが関節部６を介して連結されている。そして、関節部６が、第１部材５１及び第２部材５３の２つの部材を相対回動可能に連結している軸体６１と、２つの上記部材によって形成される角度を固定するためのロック手段６２とを備えている。この実施形態では、ロック手段６２として次の構成を採用している。すなわち、関節部６では、第１部材５１及び第２部材５３の側面同士を摺動自在に重ね合わせて、その重なり箇所に挿通されている上記軸体６１をねじ軸とし、その軸体６１に、手による回転操作が可能な蝶ナット６３をねじ込むことによって上記ロック手段６２を構成してある。したがって、このロック手段６２によると、蝶ナット６３をねじ込んで第１部材５１と第２部材５３とを締め付けると、それら２つの部材５１，５３によって形成される角度が固定されるのに対し、蝶ナット６３を緩めると、第１部材５１と第２部材５３とが軸体６１の周りで相対回動可能になってそれら２つの部材５１，５３によって形成される角度を変更することが可能になる。このようなロック手段６２の作用を利用すると、図４に実線で示した座板１の傾斜角度を、同図の一点鎖線や二点鎖線で示したように無段階調節することが可能である。
【００２１】
以上説明した入浴イスＡは、たとえば、図５又は図６のように浴槽１００の底面１１０上に設置して使用される。その際、図２又は図３のように、浴槽１００の底面１１０に定置機構２を載置した状態で操作ハンドル２５を倒伏姿勢から起立姿勢に引き上げると、上記した吸盤２１の膨らみ変形を通じてその吸盤２１が底面１１０に吸着して座板１が定位置に固定され、また、操作ハンドル２５を起立姿勢から倒伏姿勢に押し下げると、吸盤２１が初期形状に復帰して吸着状態が解除されるので、座板１の位置を自由に変更することか可能である。
【００２２】
また、この入浴イスＡの使用状態では、浴槽１００の底面１１０に定置された入浴イスＡの座板１に使用者の臀部付近が凭せ掛けられる。このような使用状態を採ると、使用者Ｍは、座板１によってその臀部付近が支えられているので、無理な力を入れて踏ん張ったりすることなくリラックスした状態で入浴することができる。したがって、身障者であっても、滑って溺れるといった危険を伴わずに安全に入浴することが可能になる。
【００２３】
また、当該入浴イスＡの設置位置を変更することによって、図５のように身体の前側に座板１を設置して臀部の前側をその座板１に凭せ掛けたり、図６のように身体の後側に座板１を設置して臀部の後側を座板１に凭せ掛けたりすることを自由に選択することができるために、使用者にとっては必要に応じて都合のよい使い方をすることができるという利点もある。
【００２４】
特に、この実施形態では、連結機構５に関節部６を具備させることによって、座板１の傾斜角度を調節したりその傾斜角度を固定したりする機能を付与してあるので、座板１の傾斜角度を使用者の姿勢や体型に合わせて固定することができるという利便性が得られる。その結果、健常者にとっては勿論、身障者やその介護者にとっても当該入浴イスＡを使って楽にかつ安全に入浴することができるようになり、さらに、長時間の入浴に際しても便利である。
【００２５】
この実施形態では、図１〜図３のように、定置機構２の筐体２２に門形の把手８を設けてあり、この把手８を手で掴むことができるようにしてある。したがって、片手で掴んだ把手８を押さえた状態で操作ハンドル２５を容易に起倒させることができるだけでなく、その把手８を手で掴んで当該入浴イスＡを持ち運んだりすることもできる。
【図面の簡単な説明】
【００２６】
【図１】本考案に係る入浴イスを一部省略して示した平面図である。
【図２】定置機構の動作状態を示した縦断面図である。
【図３】定置機構の他の動作状態を示した縦断面図である。
【図４】座板の傾斜角度可変作用を説明するための概略側面図である。
【図５】使用状態説明図である。
【図６】他の使用状態説明図である。
【符号の説明】
【００２７】
Ａ  入浴イス
１  座板
２  定置機構
５  連結機構
６  関節部
７  カム
２１  吸盤
２２  筐体
２３  連結杆
２４  孔部
２５  操作ハンドル
２９  座面
５１  第１部材
５３  第２部材
６１  軸体
６２  ロック手段
１００  浴槽
Ｓ  空間
【図１】
0003125384.tif 000003
【図２】
0003125384.tif 000004
【図３】
0003125384.tif 000005
【図４】
0003125384.tif 000006
【図５】
0003125384.tif 000007
【図６】
0003125384.tif 000008